(57)【要約】【課題】端子金具がキャビティ内で揺動することに起因して相手の端子金具との接触部分で微摺動摩耗が生じることを防止する。【解決手段】箱形をなす本体部２１と、この本体部２１の後方において同本体部２１よりも幅狭の形態で電線１０の端末に圧着されるバレル部２２とが設けられた端子金具２０と、この端子金具２０が挿入されるキャビティ３１が設けられたハウジング３０と、が具備される。キャビティ３１内には、端子金具２０が正規位置に挿入された状態において本体部２１の下面若しくは上面に設けられた被係止部２５に係止して抜け止めするランス４０が上下方向の弾性撓み可能に設けられるとともに、端子金具２０が正規位置に挿入された状態において、バレル部２２の左右両側を挟む位置に進出する一対の揺動規制片４５が上下方向の弾性撓み可能に設けられている。【選択図】図６
2013225442.tif 000002
【特許請求の範囲】
【請求項１】
箱形をなす本体部と、この本体部の後方において同本体部よりも幅狭の形態で電線の端末に圧着されるバレル部とが設けられた端子金具と、
この端子金具が挿入されるキャビティが設けられたハウジングと、が具備され、
前記キャビティ内には、前記端子金具が正規位置に挿入された状態において前記本体部の下面若しくは上面に設けられた被係止部に係止して抜け止めするランスが上下方向の弾性撓み可能に設けられるとともに、
前記端子金具が正規位置に挿入された状態において、前記バレル部の左右両側を挟む位置に進出する一対の揺動規制片が上下方向の弾性撓み可能に設けられていることを特徴とするコネクタ。
【請求項２】
前記ランスは、前記キャビティの底面若しくは天井面に沿って前方を向いた片持ち状に延出形成された可撓片の先端部に、前記端子金具の前記被係止部に係止する係止部が突出形成された形状であるとともに、
前記揺動規制片は、前記キャビティの底面若しくは天井面に沿って前方を向いた片持ち状に延出形成された可撓片の先端部に、前記端子金具の前記バレル部の両側に進出する挟持部が突出形成された形状であり、
前記揺動規制片並びに前記ランスは、前記端子金具の挿入に伴い前記本体部の下面若しくは上面が前記挟持部若しくは前記係止部を通過することで、それぞれ弾性撓みするようになっており、
かつ、前記揺動規制片が弾性撓みを開始するタイミングよりも、前記ランスが弾性撓みを開始するタイミングの方が遅れる設定となっていることを特徴とする請求項１記載のコネクタ。
【請求項３】
前記ランスの前記係止部は、前面が切り立った係止面で、後面が順テーパ状のガイド面となっているのに対して、前記揺動規制片の前記挟持部は、前後両面が順テーパ状のガイド面とされていることを特徴とする請求項２記載のコネクタ。
【発明の詳細な説明】
【技術分野】
【０００１】
本発明は、互いに接続された端子金具間の微摺動摩耗を低減する機能を備えたコネクタに関する。
【背景技術】
【０００２】
大電流用回路に配設されるコネクタの一例として、下記特許文献１に記載のものが知られている。ここでは雌側のコネクタが例示され、幅広で前後面に開口した箱形をなして内部に弾性接触片を有する本体部の後方に、電線の端末に圧着されるバレル部が設けられた雌端子と、この雌端子が挿入されるキャビティが設けられた雌ハウジングとが具備されている。電線の端末に圧着された雌端子はキャビティに対して後方から挿入され、途中からキャビティの底面に設けられたランスを弾性撓みさせつつ押し込まれ、正規位置に到るとランスが復元変位して本体部の下面に開口されたランス孔に嵌って係止し、雌端子がキャビティ内に抜け止めされて収容される。  
このような雌側コネクタが相手の雄側コネクタに嵌合されると、同雄側コネクタに装着された相手の雄端子の幅広のタブが、雌端子の本体部内に前方から進入して弾性接触片と接触し、対応する雌雄の端子金具同士が電気的に接続されるようになっている。
【先行技術文献】
【特許文献】
【０００３】
【特許文献１】特開２００２−２３７３４５号公報
【発明の概要】
【発明が解決しようとする課題】
【０００４】
この種のコネクタが車両内に配設された場合、振動を受ける等で電線に対して振られるような力が作用することは往々にして生じるところであり、例えば上記のような雌側コネクタでは、雌端子の本体部とキャビティの左右の側壁との間にクリアランスが存在することから、特に電線が左右方向に振られると、雌端子は、弾性接触片の接点部を中心として左右に揺動する可能性がある。そうすると、弾性接触片の接点と、これが接触した相手の雄端子のタブとの間でいわゆる微摺動摩耗が生じ、めっきが剥がれる等で接触抵抗が増大することが懸念されるため、その防止策の出現が切望されていた。  
なお、電線の振れに起因して端子金具がキャビティ内で揺動することは、雄側コネクタでも同様に生じるところである。  
本発明は上記のような事情に基づいて完成されたものであって、その目的は、端子金具がキャビティ内で揺動することに起因して相手の端子金具との間で微摺動摩耗が生じることを防止するところにある。
【課題を解決するための手段】
【０００５】
本発明は、箱形をなす本体部と、この本体部の後方において同本体部よりも幅狭の形態で電線の端末に圧着されるバレル部とが設けられた端子金具と、この端子金具が挿入されるキャビティが設けられたハウジングと、が具備され、前記キャビティ内には、前記端子金具が正規位置に挿入された状態において前記本体部の下面若しくは上面に設けられた被係止部に係止して抜け止めするランスが上下方向の弾性撓み可能に設けられるとともに、前記端子金具が正規位置に挿入された状態において、前記バレル部の左右両側を挟む位置に進出する一対の揺動規制片が上下方向の弾性撓み可能に設けられているところに特徴を有する。
【０００６】
端子金具は、一対の揺動規制片並びにランスを弾性撓みさせつつキャビティ内に挿入され、正規位置まで挿入されたところでランスが復動して被係止部に係止することにより抜け止めされ、併せて一対の揺動規制片が復動してバレル部の左右両側を挟む位置に進出する。  
当該コネクタが相手コネクタと嵌合された状態において、コネクタから引き出された電線が左右方向に振られると、同電線に接続された端子金具には、相手の端子金具との接触部分を中心として左右方向へ揺動させる力が作用するが、同端子金具のバレル部の左右両側には一対の揺動規制片が進出して挟んでいることから、端子金具が左右方向へ揺動することが規制される。これにより、相手の端子金具との接触部分で微摺動摩耗が生じることが防止され、結果接触抵抗の増大を招くことが防止される。
【０００７】
また、以下のような構成としてもよい。  
（１）前記ランスは、前記キャビティの底面若しくは天井面に沿って前方を向いた片持ち状に延出形成された可撓片の先端部に、前記端子金具の前記被係止部に係止する係止部が突出形成された形状であるとともに、前記揺動規制片は、前記キャビティの底面若しくは天井面に沿って前方を向いた片持ち状に延出形成された可撓片の先端部に、前記端子金具の前記バレル部の両側に進出する挟持部が突出形成された形状であり、前記揺動規制片並びに前記ランスは、前記端子金具の挿入に伴い前記本体部の下面若しくは上面が前記挟持部若しくは前記係止部を通過することで、それぞれ弾性撓みするようになっており、かつ、前記揺動規制片が弾性撓みを開始するタイミングよりも、前記ランスが弾性撓みを開始するタイミングの方が遅れる設定となっている。
【０００８】
端子金具がキャビティ内に挿入されると、先に一対の揺動規制片が弾性撓みし、遅れてランスが弾性撓みしつつ押し込まれる。揺動規制片とランスは、弾性撓みが開始するときが最も挿入抵抗が大きいと言えるが、一対の揺動規制片とランスとで挿入抵抗のピークをずらすようにしたから、ランスに加えて同じく弾性撓みする一対の揺動規制片を加えた構造でありながら、端子金具の挿入力を極力抑えることができる。
【０００９】
（２）前記ランスの前記係止部は、前面が切り立った係止面で、後面が順テーパ状のガイド面となっているのに対して、前記揺動規制片の前記挟持部は、前後両面が順テーパ状のガイド面とされている。
【００１０】
端子金具をキャビティから引き抜く場合は、ランスについては治具を利用して強制的に弾性撓みさせることで本体部に対する係止を解除し、係る状態で端子金具が後方に引っ張られると、一対の揺動規制片については、前面のガイド面を利用して自動的に弾性撓みつつ本体部を通過し、端子金具がキャビティから引き抜かれる。  
例えばキャビティの前面壁には、ランス用の治具挿入孔を開口する必要がある一方で、揺動規制片用の治具挿入孔を開口する必要がない。すなわち、前面壁の閉鎖面を広範囲に亘って確保できるから、同前面壁に相手の端子金具の挿入誘導口を形成するような場合に、極力閉じた形状に形成できて誘導機能を発揮する上で有利となる。
【発明の効果】
【００１１】
本発明によれば、端子金具がキャビティ内で揺動することに起因して相手の端子金具との間で微摺動摩耗が生じることを防止できる。
【図面の簡単な説明】
【００１２】
【図１】本発明の一実施形態に係る雌ハウジングに雌端子を挿入する前の状態の一部切欠平面図
【図２】その一部切欠側面図
【図３】雌ハウジングの正面図
【図４】雌端子の挿入途中の状態を示す一部切欠側面図
【図５】雌端子が正規挿入された状態の一部切欠平面図
【図６】その一部切欠側面図
【図７】リテーナが本係止された状態の一部切欠側面図
【発明を実施するための形態】
【００１３】
＜実施形態＞
本発明の一実施形態を図１ないし図７によって説明する。この実施形態では、大電流回路用の雌側コネクタを例示している。  
雌側コネクタは、図１及び図２に示すように、被覆電線１０の端末に接続された雌端子２０と、この雌端子２０が収容される雌ハウジング３０とから構成されている。
【００１４】
雌端子２０は、導電性に優れた金属板をプレス加工して形成されており、図示しない相手の雄端子との接続部となる本体部２１の後方に、被覆電線１０の端末に圧着されるワイヤバレル２２とインシュレーションバレル２３とが設けられた形状である。
【００１５】
本体部２１は幅広でかつ前後面に開口した箱形に形成され、雄端子の先端部に設けられた幅広のタブが前方から挿入可能となっており、本体部２１内には、底面の前縁に突出形成された舌片が山形に折り返されて形成された弾性接触片２４が収容され、同弾性接触片２４の頂上部分に接点が設けられている。相手の雄端子のタブが雌端子２０の本体部２１に前方から挿入されると、同タブが弾性接触片２４の接点と本体部２１の天井面との間で弾性的に挟持されることによって、対応する雌雄の端子金具同士が電気的に接続されるようになっている。  
本体部２１の底面には、長さ方向の後端寄りの位置でかつ中央幅位置に、ランス孔２５が開口されている。
【００１６】
本体部２１の後方には、首部２６を介して上記したワイヤバレル２２とインシュレーションバレル２３とが形成されている。首部２６は、本体部２１の底面と面一の形態で、本体部２１の高さの約半分の深さを有する上面開放の溝状に形成されており、ただし本体部２１の直後は本体部２１と同幅で、ワイヤバレル２２の前縁に向けて急激にくびれて幅狭とされている。  
ワイヤバレル２２は、首部２６の後縁に続く幅狭の底面の両側縁から一対のバレル片２２Ａが立ち上がり形成された形状である。  
インシュレーションバレル２３は、ワイヤバレル２２の底面より一段下がった位置において同底面よりもやや幅広となった底面の両側縁から、ワイヤバレル２２のバレル片２２Ａよりも背の高い一対のバレル片２３Ａが立ち上がり形成された形状である。
【００１７】
被覆電線１０の端末にはゴム栓１５が先通しされる一方、被覆電線１０の端末では、絶縁被覆１１の端末が所定長さ皮剥きされて芯線１２の端末が露出される処理が施される。そして、被覆電線１０における露出した芯線１２の端末に、雌端子２０のワイヤバレル２２がかしめ圧着され、また、絶縁被覆１１の端末とそこに外嵌されたゴム栓１５の取付筒部１６に、インシュレーションバレル２３がかしめ圧着されることによって、被覆電線１０の端末に、雌端子２０がゴム栓１５ともども固着されるようになっている。  
ここで、図１に示すように、圧着されたワイヤバレル２２の幅は、首部２６の後縁側と同じく、本体部２１の幅の３０％程度に狭くなるように設定されている。
【００１８】
雌ハウジング３０は合成樹脂製であって、図１ないし図３に示すように、前後方向に貫通したキャビティ３１を内部に設けた端子収容部３２と、この端子収容部３２の長さ方向のほぼ中央部から同端子収容部３２の前端のさらに前方位置に亘る領域の外周を覆うように設けられた前面開口のフード部３３とから構成されている。端子収容部３２の前端部には、別ピースとして備えられたフロントリテーナ６０が装着されている。
【００１９】
雌ハウジング３０の端子収容部３２は、その前半部分が、雌端子２０における本体部２１からワイヤバレル２２に亘る領域が嵌合される扁平な角筒部３５とされる一方、後半部分が、雌端子２０におけるインシュレーションバレル２３からゴム栓１５が嵌合される大径の円筒部３６とされている。角筒部３５の基端側の回りには、円筒形をなす装着筒部３７がフード部３３の奥壁から突出した形態で形成されている。同装着筒部３７の外周には、図示しない相手の雄ハウジングとの間をシールするシールリングが装着されるようになっている。
【００２０】
端子収容部３２の前側の角筒部３５では、基本的には底面が開口されており、ただし基端側の中央幅位置における帯状領域のみが、受け面３８として残されている。この受け面３８の前面に、ランス４０が形成されている。ランス４０は、前方を向いた片持ち状に延出形成された可撓片４１と、同可撓片４１の先端部上面に突設された係止部４２とから構成されている。可撓片４１の上面は、上記した受け面３８と面一に形成されている。ランス４０は、先端側が下方に向けて弾性撓み可能となっている。
【００２１】
ランス４０の係止部４１の位置は、後記するように雌端子２０の本体部２１がキャビティ３１内に挿入されて、同本体部２１の前端面が角筒部３５の前端面とほぼ整合する正規位置まで挿入されたときに、同本体部２１の下面に開口されたランス孔２５と整合する位置である。ランス４０の係止部４２は、その前面が切り立った係止面４２Ａになっているとともに、後面が順テーパ状のガイド面４２Ｂとなっている。
【００２２】
角筒部３５内における上記した受け面３８の左右両側には、一対の揺動規制片４５が、角筒部３５の奥面から前方に突出した形態で形成されている。両揺動規制片４５の間隔は、雌端子２０におけるかしめ圧着されたワイヤバレル２２の幅よりも少し大きい程度である。揺動規制片４５は、前方を向いた片持ち状に延出形成された可撓片４６と、同可撓片４６の先端部上面に突設された挟持部４７とから構成されている。可撓片４６の上面は、上記した受け面３８と面一に形成されている。揺動規制片４５は、先端側が下方に向けて弾性撓み可能となっており、上記した装着筒部３７の内面との間に、揺動規制片４５の撓み許容空間４８が確保されている。
【００２３】
揺動規制片４５の挟持部４７の位置は、図５に示すように、雌端子２０が上記した正規位置まで挿入されたときに、ワイヤバレル２２の左右両側を挟むことができる位置である。揺動規制片４５の挟持部４７は、全体として山形をなし、前後面共に順テーパ状のガイド面４７Ａとなっている。
【００２４】
フロントリテーナ６０（以下、単にリテーナ６０）は合成樹脂製であって、雌ハウジング３０の端子収容部３２における角筒部３５の前端部に嵌められるキャップ状に形成され、より詳細には、外周面が円形で、内周面が角筒部３５がほぼ緊密に嵌る方形をなして、後面側に開口した形状に形成されている。  
リテーナ６０の内底面６０Ａの後縁における中央幅位置には、上記したランス４０の下方への弾性撓みを許容する撓み許容溝６１が切り込み形成されているとともに、同撓み許容溝６１の前側の壁部が、同ランス４０の弾性撓みを規制する規制壁６２となっている。
リテーナ６０の後端面の外周には、シールリングの抜け止めに機能するフランジ６３が形成されている。
【００２５】
リテーナ６０は、図１及び図２に示すように、角筒部３５の先端部に略半分の深さ嵌められたところで、リテーナ６０の左右の内面に設けられた仮係止部６５が、角筒部３５に形成された仮係止孔５０に嵌ることで抜け止めされ、この位置が仮係止位置となる。リテーナ６０が仮係止位置にあるときには、リテーナ６０に設けられた撓み許容溝６１がランス４０の先端部の下方に対応している。
【００２６】
リテーナ６０が仮係止位置から押し込まれ、図７に示すように、装着筒部３７の前端面に当たる位置まで押し込まれると、リテーナ６０の天井面に設けられた本係止部６６が、角筒部３５の上面に形成された本係止孔５１に嵌ることで抜け止めされ、この位置が本係止位置となる。リテーナ６０が本係止位置にあるときには、リテーナ６０に設けられた規制壁６２がランス４０の先端部の下方に進出する。
【００２７】
リテーナ６０の前面壁６０Ｂには、図３に示すように、相手の雄端子のタブが挿入される端子挿入口６７が形成され、同端子挿入口６７の口縁部には、テーパ状の誘い込み面６８が形成されている。また、端子挿入口６７の下縁の中央幅位置には、ランス４０を強制的に弾性撓みさせる治具を挿入するための治具挿入孔６９が切り込み形成されている。
【００２８】
なお、雌ハウジング３０のフード部３３の上面には、中央幅位置において上方への膨出部５５が形成され、同膨出部５５内には、相手の雄ハウジングとの間を正規嵌合状態にロックするためのロックアーム５６が設けられている。
【００２９】
続いて、本実施形態の作用を説明する。  
雌端子２０は、既述した要領によってゴム栓１５ともども被覆電線１０の端末に固着される。雌ハウジング３０側では、図１及び図２に示すように、端子収容部３２の角筒部３５の前端にリテーナ６０が嵌められて、仮係止位置に保持される。
【００３０】
被覆電線１０の端末に固着された雌端子２０は、所定姿勢を取った上で、同図の矢線に示すように、雌ハウジング３０の端子収容部３２に形成されたキャビティ３１内に後方から挿入される。雌端子２０の本体部２１が角筒部３５内に押し込まれると、まず本体部２１の下面の左右の側縁部が、左右一対の揺動規制片４５の上を通過することで、図４に参照して示すように、両揺動規制片４５を撓み許容空間４８に向けて弾性撓みさせつつ押し込まれる。
【００３１】
そののち図４に示すように、本体部２１の前縁がランス４０の位置に達し、引き続いて押し込まれると、本体部２１の下面の中央幅位置が前縁側からランス４０の上を通過することで、ランス４０をリテーナ６０に設けられた撓み許容溝６１に向けて弾性撓みさせつつ押し込まれる。
【００３２】
雌端子２０が正規位置まで挿入されると、本体部２１の下面のランス孔２５がランス４０の係止部４１の位置に達することで、図５及び図６に示すように、ランス４０が元姿勢に復動して係止部４１がランス孔２５に嵌ることで、雌端子２０が抜け止めされる。  
この間に、両揺動規制片４５の挟持部４７が首部２６の幅狭の部分に外れることで、両揺動規制片４５が元姿勢に復動し、上記のように雌端子２０が正規位置に達したところでは、両揺動規制片４５の挟持部４７が、ワイヤバレル２２の前端部の左右両側に進出し、同ワイヤバレル２２を挟んだ状態となる。  
なお、ゴム栓１５はキャビティ３１の入口に嵌着される。
【００３３】
最後にリテーナ６０が本係止位置に押し込まれると、図７に示すように、規制壁６２がランス４０の下面に進出することでランス４０の弾性撓みが規制され、雌端子２０が間接的に二重係止される。  
それとともに、リテーナ６０の内底面６０Ａにより、雌端子２０の本体部２１の下面が受けられ、また首部２６が受け面３８で受けられた状態で、雌端子２０がキャビティ３１内に収容される。
【００３４】
このように組み付けられた雌コネクタが、図示しない相手の雄コネクタと嵌合され、この嵌合に伴い、雄コネクタに設けられた相手の雄端子のタブが、リテーナ６０の端子挿入口６７から雌端子２０の本体部２１内に挿入され、同本体部２１内に設けられた弾性接触片２４と弾性的に接触される。両コネクタは、ロックアーム５６を介して正規嵌合状態にロックされる。
【００３５】
この状態から雌コネクタから引き出された被覆電線１０が左右方向に振られると（図５参照）、同被覆電線１０に接続された雌端子２０には、相手の雄端子のタブとの接触部分（弾性接触片２４の接点）を中心として左右方向へ揺動させる力が作用するが、雌端子２０のワイヤバレル２２の左右両側には一対の揺動規制片４５の挟持部４７が進出して挟んでいることから、雌端子２０が左右方向へ揺動することが規制される。これにより、相手の雄端子との接触部分で微摺動摩耗が生じることが防止される。
【００３６】
以上のように本実施形態によれば、キャビティ３１内に、雌端子２０が正規位置に挿入された状態において、ワイヤバレル２２の左右両側を挟む位置に進出する一対の揺動規制片４５を上下方向の弾性撓み可能に設けたから、被覆電線１０が振られる等に起因して、雌端子２０に対して相手の雄端子のタブとの接触部分を中心として左右方向へ揺動させる力が作用した場合も、雌端子２０のワイヤバレル２２の左右両側が、剛性の高い向きをなす一対の揺動規制片４５（挟持部４６）で挟まれることによって、雌端子２０が左右方向へ揺動することが規制される。これにより、相手の雄端子との接触部分で微摺動摩耗が生じることが防止され、結果接触抵抗の増大を招くことが防止される。
【００３７】
特に本実施形態では、雌端子２０としては既存の形状のものが適用でき、また、一対の揺動規制片４５も、キャビティ３１内におけるワイヤバレル２２の両側の言わばデッドスペースを利用して形成できるために、雌ハウジング３０の形状変更も最小限に留めることができ、安価に対応することができる。
【００３８】
雌端子２０は、一対の揺動規制片４５と、ランス４０とを弾性撓みさせつつキャビティ３１内に挿入されるが、一対の揺動規制片４５が弾性撓みを開始するタイミングよりも、ランス４０が弾性撓みを開始するタイミングの方が遅れる設定として、それぞれの挿入抵抗のピークをずらすようにしたから、雌端子２０の挿入力を極力抑えることができる。
【００３９】
また、ランス４０の係止部４２は、前面に切り立った係止面４２Ａが形成されているのに対して、揺動規制片４５の挟持部４７は、前後両面が順テーパ状のガイド面４７Ａとされている。そのため、雌端子２０をキャビティ３１から引き抜く場合において、ランス４０については治具を利用して強制的に弾性撓みさせることで本体部２１に対する係止を解除する必要がある一方で、揺動規制片４５については、前面のガイド面４７Ａを利用して自動的に弾性撓みつつ本体部２１を通過させることが可能で、すなわち係止解除用の治具を必要としない。  
そのため、リテーナ６０の前面壁６０Ｂに相手の雄端子を誘導して挿入する端子挿入口６７を設ける場合に、端子挿入口６７の口縁の一部のみに治具挿入孔６９を開口すれば足り、言い換えると、端子挿入口６７の誘い込み面６８を備えた口縁をほぼ全周に亘って確保できるために、雄端子のタブの誘導挿入機能が有効に発揮でき、ひいては両コネクタの嵌合動作を正確にかつスムーズに行うことができる。
【００４０】
＜他の実施形態＞
本発明は上記記述及び図面によって説明した実施形態に限定されるものではなく、例えば次のような実施形態も本発明の技術的範囲に含まれる。  
（１）上記実施形態では、ランスと揺動規制片とを共にキャビティの底面側に設けた場合を例示したが、雌端子の形状等に応じて、ランスと揺動規制片とを共にキャビティの天井面に設けたり、あるいは、底面と天井面とに分けて設けるようにしてもよい。  
（２）雌端子がキャビティに挿入される際、先に一対の揺動規制片が弾性撓みして復動したのち、改めてランスが弾性撓みして復動する設定としてもよい。こうすると、雌端子の形状変更を伴うことになるが、雌端子の挿入力を大幅に低減することができる。  
（３）上記実施形態では雌側コネクタを例示したが、箱形の本体部の前面にタブが突設される一方、同本体部の後方にバレル部が設けられた構造の雄端子を、雄ハウジングのキャビティ内に収容した構造の雄コネクタについても、本発明は同様に適用することができる。
【符号の説明】
【００４１】
１０…被覆電線（電線）
１２…芯線
２０…雌端子（端子金具）
２１…本体部
２２…ワイヤバレル（バレル部）
２５…ランス孔（被係止部）
３０…雌ハウジング（ハウジング）
３１…キャビティ
３２…端子収容部
３５…角筒部
４０…ランス
４１…可撓片
４２…係止部
４２Ａ…係止面
４２Ｂ…ガイド面
４５…揺動規制片
４６…可撓片
４７…挟持部
４７Ａ…ガイド面
【図１】
2013225442.tif 000003
【図２】
2013225442.tif 000004
【図３】
2013225442.tif 000005
【図４】
2013225442.tif 000006
【図５】
2013225442.tif 000007
【図６】
2013225442.tif 000008
【図７】
2013225442.tif 000009